Podtech/llm-jp-corpus-v4-ja_patent huggingface dataset:
(57)【要約】      （修正有）【課題】糸通し具の使用で釣竿への釣糸装着が早く確実に出来ると共に、釣竿のガイド穴へ保護キャップの着脱による摩擦清掃で、釣糸の滑り出しが良くなり、釣竿へ糸通し具と保護キャップを一体的に設けて保護キャップの嵩張りを軽減し、ゴム製保護キャップの弾力性により、接触等での損傷が防止出来て、添木による竿先補強で釣竿の耐久力を高め、竿先保護具の装着で釣竿を安全に持ち運べる、釣竿の糸通し具兼用竿先保護具を提供する。【解決手段】棒部下方へ糸孔１に繋がる糸止め溝２と、棒尻部へ一文字状切込み３が穿設された長細棒状糸通し具Ａに有する丸み尖りが設けられた棒先部を、弾力性を有するゴム製保護キャップＢに穿設された棒孔５へ挿入して、圧接状に嵌合させ、脱着自在で、一体的に設けることを特徴とする。【選択図】図１
0003214449.tif 000002
【実用新案登録請求の範囲】
【請求項１】
棒部下方へ糸孔（１）に繋がる糸止め溝（２）と、棒尻部へ一文字状切込み（３）が穿設された長細棒状糸通し具（Ａ）に有する丸み尖り（４）が設けられた棒先部を、弾力性を有するゴム製保護キャップ（Ｂ）に穿設された棒孔（５）へ挿入して、圧接状に嵌合させ、脱着自在で、一体的に設けた釣竿の糸通し具兼用竿先保護具。
【考案の詳細な説明】
【技術分野】
【０００１】  この考案は、釣り具における釣竿の糸通し具兼用竿先保護具に関するものである。
【背景技術】
【０００２】  従来、釣糸を手で持って釣竿のガイド穴へ糸通しを行い、また竿先へ被せる硬質合成樹脂製保護キャップがあった。
【考案の概要】
【考案が解決しようとする課題】
【０００３】  これは次のような欠点があった。
（イ）釣糸を手で持って釣竿のガイド穴へ潜らせる程中で、釣糸が手から脱落することがあった。
（ロ）釣竿の一部ガイド穴への糸通しを忘れたり、釣竿へ釣糸が巻付いたりして、糸通しを遣り直すことがあった。
（ハ）釣竿の竿先へ被せる硬質合成樹脂製保護キャップは、自体の嵩張りに加え、障害物などへの接触で損傷することがあった。
（ニ）釣竿に設けられたガイド穴は、海水塩及び埃等の付着に加え、発錆により、釣糸の滑り出しが悪くなることがあった。
【課題を解決するための手段】
【０００４】  棒部下方へ糸孔（１）に繋がる糸止め溝（２）と、棒尻部へ一文字状切込み（３）が穿設された長細棒状糸通し具（Ａ）に有する丸み尖り（４）が設けられた棒先部を、弾力性を有するゴム製保護キャップ（Ｂ）に穿設された棒孔（５）へ挿入して、圧接状に嵌合させ、脱着自在で、一体的に設ける。
【作用】
【０００５】  硬質長細棒状糸通し具（Ａ）の棒部下方へ穿設された糸孔（１）に繋がる糸止め溝（２）へ釣糸（６）を圧接状に嵌合させると共に、棒尻部の一文字状切込み（３）への圧接状銜え込ませによる二重の圧接状糸止めが出来るもので、釣竿（７）に設けた複数のガイド（８）（９）（１０）（１１）（１２）（１３）穴へ、保護キャップ（Ｂ）を密接状の着脱を繰返すことで、ガイド穴の摩擦清掃が出来、釣竿（７）へ糸通し具（Ａ）と弾力性ゴムの保護キャップ（Ｂ）を一体的に設けることで、接触等の衝撃に耐え、脱着自在の竿先保護具として使用することが出来るものである。
【考案の効果】
【０００６】  本案の釣竿の糸通し具兼用竿先保護具は、糸通し具の使用で釣竿への釣糸装着が早く確実に出来ると共に、釣竿のガイド穴へ保護キャップの着脱による摩擦清掃で、釣糸の滑り出しが良くなり、釣竿へ糸通し具と保護キャップを一体的に設けて保護キャップの嵩張りを軽減し、ゴム製保護キャップの弾力性により、接触等での損傷が防止出来て、添木による竿先補強で釣竿の耐久力を高め、竿先保護具の装着で釣竿を安全に持ち運べる効果がある。
【図面の簡単な説明】
【０００７】
【図１】  本考案の斜視図である。
【図２】  本考案の図１の拡大分離斜視図である。
【図３】  本考案の実施例を示す斜視図である。
【実施例】
【０００８】  以下、本案の実施例について説明する。
（イ）長細棒状糸通し具（Ａ）の材質は、カーボン繊維製等の硬質合成樹脂製が良く、アルミ合金製又はステンレス鋼製等の金属製でも良い。
（ロ）糸通し具（Ａ）の棒部下方へ糸孔（１）に繋がる糸止め溝（２）を穿設し、棒尻部へ一文字状切込み（３）を穿設して、棒先部へ丸み尖り（４）を設ける。
（ハ）弾力性を有する保護キャップ（Ｂ）は、棒孔（５）を貫通、または貫通させないで穿設し、形状が円錐状及び円錐台状の天然または合成のゴム製で、油性を含むゴム製でも良く、市販釣り具形状のうき止めゴムを使用してもよい。
（ニ）保護キャップ（Ｂ）に穿設した棒孔（５）へ、糸通し具（Ａ）の棒先部を挿入して、圧接状に嵌合させて取付け、脱着自在で、釣竿（７）へ糸通し具（Ａ）と保護キャップ（Ｂ）を一体的に設けた竿先保護具にする。
（ホ）釣竿（７）に設けた竿先ガイド（１３）の穴径に合わせ、糸通し具（Ａ）の太さと保護キャップ（Ｂ）の形状を調節する。
本案は以上のような構成で、これを使用するときは、釣竿（７）のリール（１４）から引き出した釣糸（６）を、糸通し具（Ａ）の棒部下方へ穿設された糸孔（１）に潜らせて糸止め溝（２）へ嵌合すると共に、棒尻部に穿設された切込み（３）へ銜え込ませ、釣糸（６）を糸通し具（Ａ）に取付ける。
釣竿（７）に設けた複数のガイド（８）（９）（１０）（１１）（１２）（１３）穴へ、棒先部の丸み尖り（４）を挿入して、糸通し具（Ａ）を潜らせる。
竿先ガイド（１３）から糸通し具（Ａ）の棒先部を突出させ、突出した棒先部を持ち、釣竿（７）に設けた複数のガイド穴から糸通し具（Ａ）を抜き出す。
釣糸（６）を、糸通し具（Ａ）に設けた切込み（３）と糸止め溝（２）から取外し、糸孔（１）から釣糸（６）を抜き出して、糸通し具（Ａ）として使用する。
次に、貫通孔の棒孔（５）を穿設した保護キャップ（Ｂ）が楔状になるように、把手としての糸通し具（Ａ）を取り付けたり、単独の保護キャップ（Ｂ）を楔状で、釣竿（７）に設けた複数のガイド穴へ順次密接状に着脱を繰返し、その摩擦によるガイド穴の清掃を行う。
次に、竿先保護具としては、保護キャップ（Ｂ）の楔状先部を竿先ガイド（１３）穴へ、外側から差込んで圧接状に嵌合して取付ける。
釣竿（７）に設けた一部の複数の中間ガイド（１０）（１１）（１２）穴へ、糸通し具（Ａ）を潜らせ、そのまま添木状に残置する。
糸通し具（Ａ）に設けられた棒先部の丸み尖り（４）を、竿先ガイド（１３）に差込まれてある保護キャップ（Ｂ）に穿設した棒孔（５）へ挿入して、糸通し具（Ａ）を保護キャップ（Ｂ）へ圧接状に嵌合して取付ける。
釣竿（７）へ糸通し具（Ａ）と保護キャップ（Ｂ）を、脱着自在で、一体的に設け、釣竿（７）の竿先保護具として使用する。
【符号の説明】
【０００９】  １  糸孔
２  糸止め溝
３  切込み
４  丸み尖り
Ａ  糸通し具
５  棒孔
Ｂ  保護キャップ
６  釣糸
７  釣竿
８  竿元ガイド
９  中間ガイド
１０  中間ガイド
１１  中間ガイド
１２  中間ガイド
１３  竿先ガイド
１４  リール
【図１】
0003214449.tif 000003
【図２】
0003214449.tif 000004
【図３】
0003214449.tif 000005
(57)【要約】      （修正有）【課題】形状を変更し、また補助機能を付加する事で体の不自由な方や箸に慣れていない方の食事をサポートする箸を提供する。【解決手段】箸１、２の穂先の形状を広くし、モノを掴む作業を容易にすると共に、左右の箸１、２の上部をバネ３で結合する事で、箸を戻す作業をも簡潔にする。【選択図】図１
0003214453.tif 000002
【実用新案登録請求の範囲】
【請求項１】
箸の形状を広くし、モノを掴む作業を容易にすると共に、左右の箸上部をバネで結合する事で、箸を戻す作業をも簡潔にするという特色を持つ箸。
【考案の詳細な説明】
【技術分野】
【０００１】    本考案は、箸の形状を広くしモノを掴み易くすると共に、左右の箸上部にバネを結合し、箸でモノを掴む、戻す作業を補助する事に関する。
【背景技術】
【０００２】  現在の箸の形状は穂先が細く、材質（プラスチック）が硬いのが一般的である。しかしながら、体の不自由な方にとってはモノを掴むという作業は非常に困難で又、口に運ぶまでにこぼしてしまう現状がある。また、箸を戻す事さえ体の不自由な方にとって非常に困難である。
【先行技術文献】
【特許文献】
【０００３】
【０００４】
【非特許文献】
【非特許文献】実用新案平４−２０３０９号
【考案の概要】
【考案が解決しようとする課題】
【０００５】  健常者にとって箸を使用して食事をする事は当然な事と認識されている。しかし体の不自由な方にとっては箸を使用し食事をする事自体、大変な事である。その状況を少しでも打開しようするものである。その為にまずモノを掴む事、そしてスムーズに口へ運び食事をする事、そして箸の掴む、戻す作業を容易にする事を解決する事を目的としている。
【課題を解決するための手段】
【０００６】  まず箸でモノを掴む行為について、箸の形状を広くするとともに、弾力性（竹の性質）を利用し、掴み易くしている。左右の箸の穂先の形状がスプーンのように広くなっており、細かいモノをこぼさずに口へ運べる。また左右の箸上部をバネで結合する事でモノを掴んだ後、箸を戻す作業を容易にする。
【考案の効果】
【０００７】  この箸は体の自由がきかない方にとっての食事を補助する。そうする事で食事への楽しみを増やすことが期待できる。日本人は長年箸を使う食文化であり、そうした慣習からずれるというのは耐え難い事である。何よりその慣習から外れるという事を避けられるという最大の効果が得られる。
又箸を使うのに慣れていない方にとって、箸を使用して食事が出来る事も期待できる。
【図面の簡単な説明】
【０００８】
【図１】箸の姿図である。
【図２】箸正面図・背面図である。
【図３】箸左／右図・平面図である。
【考案を実施するための形態】
【０００９】  箸をいつものようにもち、モノを掴む。そして口まで運び食べる。そしたら箸はモノを掴む作業から戻る作業に展開する。その時に箸上部のバネが働き箸を戻す事が可能になる。
【実施例】
【０００１０】  以下、添付図に従って―実施例を説明する。［図１］▲１▼（左）、▲２▼（右）の箸の材質はともに竹である。基本的には一般の箸と同じ動作を行う事が前提である。▲３▼はバネが着いており、箸でモノを掴んだり戻したりする、戻す作業を補助するものである。
始めに、モノを掴む。▲１▼と▲２▼の左右の箸でモノを掴む。箸の穂先が広いのでモノを掴むのが容易である。特に▲１▼の形状は広いので下から支える事が可能であり、細かいモノ（ご飯粒）でも落ちない。又箸の材質が竹なので弾力性があり、モノを崩しにくい。
口にモノを運んで食べた後、箸を戻す。その時に▲３▼のバネが箸を戻す作業を補助する。
【符号の説明】
【０００１１】１箸（左）
２箸（右）
３バネ
【図１】
0003214453.tif 000003
【図２】
0003214453.tif 000004
【図３】
0003214453.tif 000005
(57)【要約】      （修正有）【課題】短期間で生育する木材を組み合わせることで環境問題に配慮した環境配慮型特殊複合材を提供する。【解決手段】環境配慮型特殊複合材１０は基材１４を備えている。基材１４は、針葉樹及び／又は広葉樹の間伐材で構成される。基材１４には突板１２が貼り付けられている。突板１２は、樺等の早生植林木と竹材とを接着した植林木複合材で構成される。【選択図】図１
0003214403.tif 000002
【実用新案登録請求の範囲】
【請求項１】
針葉樹及び／又は広葉樹の間伐材で構成される基材と、
前記基材に貼り付けられる竹を含む突板と、
を備えることを特徴とする環境配慮型特殊複合材。
【請求項２】
前記突板は早生植林木を更に含むことを特徴とする請求項１に記載の環境配慮型特殊複合材。
【請求項３】
前記早生植林木は、ユーカリ、樺、ブナ及びポプラの何れか又はそれらの組み合わせで構成されることを特徴とする請求項２に記載の環境配慮型特殊複合材。
【考案の詳細な説明】
【技術分野】
【０００１】
この考案は、環境配慮型特殊複合材に係り、特に、食品展示販売又は内装材に用いる複合材として好適な環境配慮型特殊複合材に関する。
【背景技術】
【０００２】
木材が建設材になるには、育成する地方の気温や土地により異なるが、針葉樹なら４０から６０年、広葉樹なら１５０から２００年の期間を要すると言われている。
【考案の概要】
【考案が解決しようとする課題】
【０００３】
この考案は、短期間で生育する木材を組み合わせることで環境問題に配慮した環境配慮型特殊複合材を提供することを目的とする。
【課題を解決するための手段】
【０００４】
第１の考案は、上記の目的を達成するため、環境配慮型特殊複合材であって、針葉樹及び／又は広葉樹の間伐材で構成される基材と、前記基材に貼り付けられる竹を含む突板とを備えることを特徴とする。
【０００５】
また、第２の考案は、第１の考案において、前記突板は早生植林木を更に含むことを特徴とする。
【０００６】
また、第３の考案は、第２の考案において、前記早生植林木は、ユーカリ、樺、ブナ及びポプラの何れか又はそれらの組み合わせで構成されることを特徴とする。
【考案の効果】
【０００７】
第１の考案によれば、立木の間引きにより生ずる間伐材と、成長が早く抗菌効果を有する竹とにより環境問題に配慮した環境配慮型特殊複合材を提供することができる。
【０００８】
第２又は第３の考案によれば、育成の早い早生植林木を突板に混在させることにより、材料の供給を更に容易ならしめることができる。
【図面の簡単な説明】
【０００９】
【図１】本考案の実施形態に係る環境配慮型特殊複合材の構成を示す図である。
【図２】本考案の実施形態に係る環境配慮型特殊複合材の生産工程を説明するフローチャートである。
【考案を実施するための形態】
【００１０】
実施の形態１．
図１は、本考案の実施の形態１に係る環境配慮型特殊複合材１０の断面図である。本実施形態の環境配慮型特殊複合材１０は、突板１２と基材１４を備えている。突板１２は、早生植林木と竹とを用いて構成されている。また、基材１４は針葉樹又は広葉樹の間伐材、或いはそれらの組み合わせにより構成されている。
【００１１】
図２は、竹材料と樺材料とを用いて突板１２を生産する際の工程を示す。本実施形態における突板１２は、図２に示すような工程により生産することができる。ここに示すように、本実施形態では、木材の繊維が高周波により接着される。この方法によれば、低温での接着が可能となると共に高い接着強度を得ることができ、更に、乾燥工程を大幅に短縮することができる。尚、図２では、環境配慮型特殊複合材１０を「フローリングサイズ」にカットすることとしているが、このカットは、製品別の各種サイズに対応させることができる。また、「ＵＶ塗料」は、紫外線を照射することで硬化を促進する公知のＵＶ硬化塗料を意味する。
【００１２】
木材が建設材になるには、概ね、針葉樹なら４０〜６０年、広葉樹なら１５０〜２００年の年月を要する。本実施形態の環境配慮型特殊複合材１０は、基材１４の用途別に針葉樹や広葉樹の間伐材を使用し、突板１２に、早生植林木と、合法的に伐採された竹材の組み合わせからなる植林木複合材を使用している。
【００１３】
早生植林とは、５〜１０年で伐採が可能となるユーカリ、樺、ブナ、ポプラ等に代表される樹木である。これらの早生植林木は、針葉樹の杉が３５年をかけて到達する径と同等の径に６〜１０年程度で到達する。このように短期間で成長する早生植林木を活用することで、本実施形態の環境配慮型特殊複合材１０は、地球レベルで木材資源の持続可能な供給調達の仕組みを実現することができる。
【００１４】
また、本実施形態では、仕上げ材となる突板１２に竹材を用いている。竹は２〜３年で成長する生命力の強い植物であり、伐採後直ぐに再生し始め、７〜８年で新しい生命力と交代すると言われている。竹は、密度の高い植物で、同じ面積の土地につき、一般的な植物に比して年間で４０倍もの二酸化炭素の吸収力を有している。更に、肥料や農薬を必要とせずに成長するという特性も有している。このため、本実施形態における突板１２は、環境問題に配慮したエコロジー素材と言える。
【００１５】
本実施形態の環境配慮型特殊複合材１０は、針葉樹や広葉樹の間伐材による基材１４に、０．２ｍｍ以上の厚さを持つ突板１２を張り合わせた構成を有している。厳しい建築材規制が適用されるフローリング材の試験中、シックハウス症候群で問題となるホルムアルデヒド発散試験において、この環境配慮型特殊複合材１０は、建築基準に定める国土交通省大臣認証「Ｆフォースター」を取得している。
【００１６】
本実施形態の環境配慮型特殊複合材１０は、例えば、食品の展示、販売等のために用いる陳列台等の材料として用いることができる。食品小売業の商品展示棚には、ステンレスや一般建築用の木材が使用されるのが通常である。この際、直接・間接的に食品等に使用される素材について防黴や防虫等の注意はされていない。古来より、竹の抗菌性は広く知られており、食品を包む竹皮や経木等として用いられている。竹が有する抗菌効果、消臭効果は、食品包材として好適であると同様に食品の陳列棚等としても好適である。
【００１７】
尚、上述した実施の形態では、突板１２に早生植林木を混入させることとしているが、突板１２は竹のみで構成してもよい。
【符号の説明】
【００１８】
１０  環境配慮型特殊複合材
１２  突板
１４  基材
【図１】
0003214403.tif 000003
【図２】
0003214403.tif 000004
(57)【要約】      （修正有）【課題】堆肥化を促進するため給気棒を堆肥化対象物に挿入し、給気する作業において、給気口閉塞物除去作業及び再開口作業の低減を図る給気棒を提供する。【解決手段】給気棒の肉厚を増しても、給気口位置を肉薄加工することで微小穴加工難度を上げることなく、同時に給気口角を鈍化することで、給気口位置を外周面から内側に移動することで堆肥化対象物と直接接しにくくなり閉塞事象の発生を著しく低減でき、また、同時に耐変形強度を増すことができる。【選択図】図３
0003216531.tif 000002
【実用新案登録請求の範囲】
【請求項１】
肉厚を増しても、給気口位置を肉薄加工することで微小穴加工難度を上げることなく、同時に給気口角を鈍化し、それにより供給口位置を外周面から内側に移動することで堆肥化対象物と直接接しにくくなり閉塞事象の発生を著しく低減し、同時に耐変形強度を増すことができる堆肥化を促進するための給気棒。
【考案の詳細な説明】
【技術分野】
【０００１】  堆肥化を促進する際に使用する給気棒に関するものである。
【背景技術】
【０００２】  一般的には堆肥化を促進するために給気を行うがその際給気棒に設ける給気口の微小化が必須となる。それに伴う堆肥化対象物への給気棒挿入時の目詰まり解消のため、こまめな洗浄若しくは再開口が必要である。【０００３】  従来の給気棒は微小穴開口加工を容易にすべく極力薄い素材の棒を使用している。その為開口部は外周面上に位置せざるを得ず、角が鋭利となり、挿入の際閉塞物を巻き込み易い。【０００４】  給気棒への微小穴開口加工難度を下げるため薄い肉厚パイプを使用することにより挿入時の変形を誘発する。
【考案が解決しようとする課題】
【０００５】  堆肥化対象物へ給気棒挿入時の給気口からの給気口閉塞物除去作業及び、再開口作業の低減。
【０００６】  給気棒を堆肥化対象物に挿入する際の耐変形強度の強化。
【課題を解決しようとするための手段】
【０００７】  本考案は上述の点に鑑みてなされたもので、給気棒の素材肉厚を厚くすることにより挿入時耐変形強度を高め、開口部分のみ外側から切削加工で肉薄にし、開口加工難度を上げることなく開口部を外面より内側にし、開口部角を鈍化させることを特徴とする。
【考案の効果】
【０００８】  給気棒の微小給気口の開口部を外面より内側に設置することにより、給気棒挿入時、堆肥化対象物に直接接しにくくなる。
【０００９】  給気棒開口部角の鈍化により堆肥化対象物の開口部に対する切削巻き込みを著しく低減できる。
【００１０】  堆肥化対象物に給気棒を人力で挿入し易い太さを保持しつつ厚みを増すことで耐変形強度を高めた。
【考案を実施するための最良の形態】
【００１１】  給気棒給気口への堆肥化対象物による閉塞事象の低減と挿入時の耐変形強度の強化は素材肉厚を高め、微小穴開口加工前の局部肉薄加工により実現した。
【実施例】
【００１２】  図１は本考案の実施例の説明図で給気棒全体を表したものである。２．給気口Ａ部の詳細を図２従来品と図３考案品で表した。【００１３】  図２従来品は微小穴加工の難度を下げるため肉薄の素材を使用した。図３考案品は堆肥化対象物への給気棒挿入時の耐変形強度を増すため、肉厚の素材を使用し、穴位置のみ厚さを切削加工により従来品と同等まで薄くすることで微小穴加工難度を上げることなく、同時に穴位置を外周面より内側に移動できた。
【産業上の利用可能性】
【００１４】  堆肥化の規模により異なるが使用される給気棒は単一農家で数本からメガファームでは数十本となり給気口の煩雑な洗浄、再開口の作業を著しく低減し、耐変形強度を増すことで作業効率を高め、耐久性の向上に寄与する。
【図面の簡単な説明】
【００１５】
【図１】給気棒組立図である。
【図２】従来品給気口詳細図である。
【図３】考案品給気口詳細図である。
【図４】実施例である。
【符号の説明】
【００１６】１．給気棒本体
２．給気口
３．給気チューブ接続継ぎ手
４．取手
【図１】
0003216531.tif 000003
【図２】
0003216531.tif 000004
【図３】
0003216531.tif 000005
【図４】
0003216531.tif 000006
(57)【要約】      （修正有）【課題】クラウン部分及びブリムの表裏の使用者の目的や用途に応じた箇所にワッペンを配置することを可能とするキャップを提供する。【解決手段】帽子のクラウン部分１及びブリム部分４の表裏に面ファスナーのループ生地１０を用いることにより、これらの部分にも裏面に面ファスナーフック側生地を取りつけたワッペン２を配置することを可能とした。【選択図】図１
0003216532.tif 000002
【実用新案登録請求の範囲】
【請求項１】
複数のレンゲから成るクラウンと、ブリムとを備えるキャップであって、
前記クラウンにおける少なくとも一つのレンゲを面ファスナーのループ生地としたことを特徴とするキャップ。
【請求項２】
ブリムの表面又は裏面、若しくは両面を面ファスナーのループ生地としたことを特徴とする請求項１記載のキャップ。
【請求項３】
レンゲの面ファスナーのループ生地に、裏面に面ファスナーのフック生地を備えたワッペンが張り付けられていることを特徴とする請求項１又は２に記載のキャップ。
【請求項４】
ブリムの面ファスナーのループ生地に、裏面に面ファスナーのフック生地を備えたワッペンが張り付けられていることを特徴とする請求項１〜３のいずれか一項に記載のキャップ。
【考案の詳細な説明】
【技術分野】
【０００１】本考案は頭部の保護及び装飾の為の帽子に関するものである。
【背景技術】
【０００２】従来の帽子はロゴマークや数字が帽子生地に直接刺繍又は接着されている為、これらの交換や配置変更が不可であった。
【先行技術文献】
従来技術として特許文献１には帽子クラウン部分に面ファスナーループ生地を用い、シガレットケースを取り付けた帽子が開示されている。
【特許文献】
【０００３】
【特許文献１】特開２００４−１３７６４５号公報
【考案の概要】
【考案が解決しようとする課題】
【０００４】特許文献１では帽子クラウン部分のみに面ファスナーループ生地を用い、この部分にのみシガレットケースが配置可能であった。しかしながらこのような全面に面ファスナー生地を用いた場合には洗濯等の場合に糸屑が多数付着するという問題点があった。
【課題を解決するための手段】
【０００５】本考案は帽子クラウン部分及び帽子のブリム部分の表裏にも面ファスナーループ生地を用いることにより、これらの部分にも裏面に面ファスナーフック生地を取りつけたワッペンを配置することを可能とした帽子である。又、バリエーションとして面ファスナーループ生地をクラウンの一部のみに形成することで、洗濯等の場合に糸くず等が付着するのを防止する。
【考案の効果】
【０００６】    従来の帽子はロゴマークが生地に直接刺繍または接着固定されている為、これらの交換や配置変更は不可であったが、面ファスナーのループ生地を用いて帽子を製作する事により、裏面に面ファスナーのフック生地を取り付けた数字やロゴマークのワッペンを帽子クラウン部分及びブリム表裏に配置することが可能となる。これにより各自の好みや目的に応じた仕様に変更することが可能となり、他者との差別化も可能となる。又、面ファスナーループ生地をクラウンの一部のみに形成することで、洗濯等の場合に糸くず等が多数付着するのを防止することが可能となる。
【図面の簡単な説明】
【０００７】
【図１】本考案の帽子全体図  （ａ）帽子全体の図  （ｂ）帽子後部の図  （ｃ）面ファスナーループ生地組み合わせの種類  （ｄ）面ファスナーループ生地組み合わせの種類  （ｅ）面ファスナーループ生地組み合わせの種類  （ｆ）ブリム及びブリム内部の図  （ｇ）面ファスナーループ生地組み合わせの種類  （ｈ）帽子内部の図  （ｉ）スベリ及びレンゲの図
【図２】本考案の帽子に取り付けるワッペン裏面の図
【考案を実施するための形態】
【０００８】  帽子クラウンは六枚のレンゲから成り、帽子クラウン１及びブリム４の生地にはポリエステル製のトイニットやトイクロス、マジッククロスと呼ばれる面ファスナーのループ生地１０｛図１（ａ）｝を用い、色彩は黒・赤・青等様々な色を使用してもよい。ブリムと接合しているクラウン前面のレンゲ二面の裏面にはポリエステル製の芯地１２｛図１（ｈ）｝を貼り付け強度を確保する。それ以外の四面はアクリルやコットン製生地１４の上に面ファスナーループ生地を貼り付けて強度を保つ。
ブリムは強度確保の為、発泡ポリエチレン製の芯地１３をブリム生地内部に使用する。｛図１（ｆ）｝
【０００９】  面ファスナーループ生地を使用する面は帽子クラウン及びブリム表裏という構成の他、ブリムと接合しているクラウン前面のレンゲ二面のみ｛図１（ｄ）｝やクラウン前面のレンゲ二面及びブリム表裏｛図１（ｅ）｝、またはクラウンを構成しているレンゲのいずれか一面のみ｛図１（ｇ）｝に面ファスナーループ生地を使用しても良い。これらの構成場合、面ファスナーループ生地を使用していないレンゲ及びブリムにはアクリルやコットン製生地を使用する。
更にクラウン前面二面とブリム表裏には面ファスナーループ生地を使用し、それ以外のクラウン側方及び後部の四面にはナイロン製のメッシュ生地１１を使用する｛図１（ｃ）｝等、様々な組み合わせを用いても良い。
【００１０】取り付けるワッペン２（衣類や帽子に取り付ける模様を縫い付けた飾り）の裏面にはポリエステル製の面ファスナーフック生地３を貼り付ける。貼り付けは接着剤による接着、又は糸による縫製で行う。ワッペンの形状は円形・方形など様々な形を用いることが出来る。ワッペンの配置数は一枚でも良いし複数枚でも良い。帽子はワンサイズで作成しても良いし、後部にサイズ調整用のナイロン製のアジャスター９｛図１（ｂ）｝を取り付けてもよい。
【００１１】帽子内側にはアクリルもしくはコットン製の帯状のスベリ５｛図１（ｉ）｝を取り付ける。
帽子内側の六枚のレンゲの縫い合わせ部分にはコットン又はポリエステル製のバイアステープ６｛図１（ｈ）｝を縫い付ける。
クラウン頭頂部には天ボタン７｛図１（ａ）｝を取り付ける。
クラウンを構成するレンゲ六枚には其々穴かがり８｛図１（ｂ）｝を施す。
面ファスナーのループ生地をクラウンの一部のレンゲに形成しているので、糸くず等が付着しにくい。
【符号の説明】
【００１２】１    帽子クラウン部分
２    ワッペン
３    面ファスナーフック生地
４    ブリム
５    スベリ
６    バイアステープ
７    天ボタン
８    穴かがり
９    アジャスター
１０  面ファスナーループ生地
１１  ナイロン製メッシュ生地
１２  ポリエステル製芯地
１３  発泡ポリエチレン製芯地
１４  アクリル又はコットン製生地
１５  レンゲ
【図１】
0003216532.tif 000003
【図２】
0003216532.tif 000004
(57)【要約】      （修正有）【課題】腕や肩が痛い人でも背中の痒い所を簡単に掻くことができる痒み解消具を提供する。【解決手段】細長い穴を有する板に凸部を有する板を差し込んで断面視においてＸ構造を構成した痒み解消具であって、壁や柱の角に固定し、これに背中の痒み部分を接触させ横に擦る。家の中を歩く程度の能力を有する人であれば使用でき背中の痒みを解消することができる。幅広く面として作用するため短時間のうちに確実に痒みから解放され、快楽を得ることが可能である。【選択図】図９
0003216524.tif 000002
【実用新案登録請求の範囲】
【請求項１】
柱や壁の角に設置する、Ｘ構造をしたことを特徴とする背中の痒み解消具。
【請求項２】
凹部（図１）に、凸部（図２）を差し込む構造をしたことを特徴とする請求項１記載のＸ構造をした背中の痒み解消具。
【請求項３】
材質が木材であり、背中に接触する箇所に面取りをしたことを特徴とする請求項１又は２記載のＸ構造をした背中の痒み解消具。
【考案の詳細な説明】
【技術分野】本考案は、背中の痒み解消具を柱や壁の角に固定して使用する背中の痒み解消具に関するものである。
【背景技術】一般的に知られている孫の手は、長状棒材である柄の先端に人間の手に類似した形状の工作物を一体的に形成した構造となっている。そして、この孫の手を使用するには柄を持って背中の手の届かない所に生じた痒い箇所に孫の手の先端をあて、擦る動作をしなければならない。
【先行技術文献】
【実用新案文献】
実開平６−７４１３５号公報
【考案の概要】
【考案が解決しようとする課題】腕を後ろ手にして、従来の孫の手を操ることは、大部分の人ができない。特に腕や肩の痛い人には、その動作をする事は至難の業である。孫の手を動かせる人でも局部的に大きな変圧がかかり、皮膚が傷ついたりする。やはり、腕を後ろ手にして動かす行為には時間も掛かりそれでも十分な効果は得られない。本考案は、上記の従来の孫の手の欠点を解消するものである。
【課題を解決するため手段】
本考案は、柱や壁の角に設置して用いるＸ型の構造をした痒み解消具に関する。２枚の板を用いてそれぞれ（図１、図２）に加工する。そして図１の凹部に、図２の凸部を差し込んで組む。この２つを固定し図（３、４、５）のＸ型の構造をした工作物を作る。又、面取りを行うことで背中に当たる感じがソフトになる。（図６）完成した工作物（図７）をたとえば柱の角に、掻く箇所より少し低い位置に固定する（図８）。これに背中の痒い部分を持って行き、横に擦る。これで短時間のうちに痒みから解放され、快楽を得る事が可能となる。
【考案の効果】
腕や肩の痛い人も背中の痒い所を、簡単に掻くことができる。
【図面の簡単な説明】
【図１】の斜線部は、細長い穴を有する凹部。
【図２】は切断加工した凸部。
【図３】は、工作物を図５のａの方向から見たものである。
【図４】はｂの方向から見たものである。
【図５】は、Ｘ型工作物図３の中央部の断面図。
【図６】は、図５を拡大したもので面取りを表している。
【図７−８】は工作物の完成品。
【図９】は本考案を柱に取り付けたもの。
【図１０−１１】は、本考案の実施例を示す。
【実施例】本考案の大きさを図示することによって、本考案をより具体的に説明する。（図１０，１１）
【図１】
0003216524.tif 000003
【図２】
0003216524.tif 000004
【図３】
0003216524.tif 000005
【図４】
0003216524.tif 000006
【図５】
0003216524.tif 000007
【図６】
0003216524.tif 000008
【図７】
0003216524.tif 000009
【図８】
0003216524.tif 000010
【図９】
0003216524.tif 000011
【図１０】
0003216524.tif 000012
【図１１】
0003216524.tif 000013
【手続補正書】
【提出日】平成30年3月8日(2018.3.8)
【手続補正１】
【補正対象書類名】実用新案登録請求の範囲
【補正対象項目名】全文
【補正方法】変更
【補正の内容】
【実用新案登録請求の範囲】
【請求項１】
柱や壁の角に設置する、細長い穴に凸部を差し込んで断面視においてＸ構造を構成する板材の端縁で背中を掻く様にしたことを特徴とする痒み解消具。
【請求項２】
材質が木材であり、背中に接触する箇所に面取りをしたことを特徴とする請求項１に記載のＸ構造をした背中の痒み解消具。
(57)【要約】      （修正有）【課題】洗い桶上でまな板が動かないように安定させ、使い勝手に優れる、まな板の滑り止め具を提供する。【解決手段】洗い桶の縁辺に挟着させて使用するまな板の滑り止め具であって、洗い桶の縁辺を上から押える上板１と、洗い桶の縁辺を下から押える下板２と、上板１と下板２を連結する背板４から成り、濡れた状態でも粘着性が強い弾性樹脂を素材とする。上板１と下板２の間には同じく弾力を有する中押え板が配設され、洗い桶の縁部が湾曲している場合も対応が可能となっている。通常は、洗い桶の左右両縁辺に本具各１を挟着させて使用する。【選択図】図１
0003216589.tif 000002
【実用新案登録請求の範囲】
【請求項１】
洗い桶の縁辺に挟着させて使用するまな板の滑り止め具であって、
前記洗い桶の縁辺を上から押える上板と、
前記洗い桶の縁辺を下から押える下板と、
前記上板と前記下板とを連結する背板と、
から成ることを特徴とする滑り止め具。  
【請求項２】
前記滑り止め具は、弾性樹脂より成ることを特徴とする請求項１記載の滑り止め具。
【請求項３】
前記上板と前記下板との間には、中押え板が配設されていることを特徴とする請求項１又は２記載の滑り止め具。
【考案の詳細な説明】
【技術分野】
【０００１】
本考案は、洗い桶上で使用するまな板の滑り止め具に関する。
【背景技術】
【０００２】
家庭内で包丁やナイフを使用しての調理は、シンク内に常置する洗い桶上にまな板を置いて行うことが多い。
【先行技術文献】
【特許文献】
【０００３】
【特許文献１】実開平６−５２７３９
【特許文献２】特開２００５−２１５６５
【特許文献３】特開２００７−５０２１７
【考案の概要】
【考案が解決しようとする課題】
【０００４】
しかし、家庭用の洗い桶とまな板は、両方とも硬性の樹脂より成るものがほとんどであるため、まな板が洗い桶上で動かないよう注意しながら調理を行う必要があった。それでも、ときには、まな板が安定せず、食材がまな板から落ちたり、指を怪我する等の事故が起きることがあった。
【０００５】
特許文献１には、裏面４隅に滑り止め用のゴムを付けたまな板の考案が開示されている。しかし、該まな板は、シンク外の平らな場所にまな板を置いて調理するときは効果があるが、洗い桶上に置くときは、ゴムの場所が桶の上縁と合わないことが多く、役に立たない。実際、日本式のキッチンはシンク外にまな板を置くための十分なスペースがない場合が多く、また、調理のたびに水を使用するため、シンク内の洗い桶上で調理する場合がほとんどである。
【０００６】
特許文献２には、表面に吸盤状のゴムの突起を多数有するまな板用すべり止めシートが提案されているが、こちらの方も洗い桶の開口部とサイズが合わず、あえて洗い桶上で使用するには、洗い桶の左右又は上下の各縁辺に２枚のシートを垂らしがけしてその上にまな板を置くといった迂遠な準備が必要となる。
【０００７】
特許文献３には、まな板の左右又は上下の２辺に挟着する一対の長尺な円柱形状の滑り止め具の発明が開示されているが、該すべり止め具は、まな板との着接部の清掃が頻繁に必要となるうえ、調理中、包丁と接触しやすく、調理の邪魔になることが予想される。
【０００８】
上述の事情を踏まえ、本考案においては、洗い桶上でまな板が動かないように安定させ、使い勝手に優れる、まな板の滑り止め具を提供することを課題とする。
【課題を解決するための手段】
【０００９】
上記課題を解決するために、請求項１記載のまな板の滑り止め具は、洗い桶の縁辺に挟着させて使用するまな板の滑り止め具であって、前記洗い桶の縁辺を上から押える上板と、前記洗い桶の縁辺を下から押える下板と、前記上板と前記下板とを連結する背板とから成ることを特徴とする。
【００１０】
請求項２記載の滑り止め具は、弾性樹脂より成る、請求項１記載の滑り止め具である。
【００１１】
請求項３記載の滑り止め具は、請求項１又は２記載の滑り止め具であって、前記上板と前記下板との間に中押え板が配置されていることを特徴とする。
【考案の効果】
【００１２】
縦断面コの字形の弾性樹脂（ゴム）が、洗い桶の縁辺に挟着し、内側に設置された中押え板が、洗い桶の縁部形状の多様性への対応を可能とするため、ほとんどの形状の洗い桶上で、まな板をしっかりと固定させることができる。
【００１３】
まな板本体ではなく、洗い桶の縁辺に挟着させて使用する小型サイズの滑り止め具であるため、調理の邪魔にならず、食材調理後もそのまま蛇口をひねり、まな板を洗浄することができる。また、まな板移動後も、本具を外さないで洗い桶を使用することができる。
【図面の簡単な説明】
【００１４】
【図１】本形態の滑り止め具１対の斜め上からの写真である。
【図２】本形態の滑り止め具の正面からの写真である。
【図３】本形態の滑り止め具の内部を開示した状態の写真である。
【図４】本形態の滑り止め具を洗い桶の縁辺に挟着させた状態を示す写真である。
【図５】洗い桶に滑り止め具を挟着させ、上にまな板を置いた状態の写真である。滑り止め具を視認可能にしてある。
【考案を実施するための形態】
【００１５】
以下、本実施形態のまな板滑り止め具について図を用いて説明する。
本実施形態のまな板滑り止め具（以降、単に「本具」という。）は、請求項３記載の滑り止め具である。
【００１６】
図１は本具の外観を斜め上から見たところの写真である。図に示すように、本具の外回りは上板１、下板２及び背板４から成り、互いに平行に配設された上板１と下板２を後ろから背板４が連結する構成になっている。本具のサイズは、幅３ｃｍ、長さ１０ｃｍほどで、素材は、樹脂製の洗い桶に対し粘着性を有する弾性ゴムより成り、上板１の上面が、まな板の配置面１１となっている。
【００１７】
図２は本具を正面から見たところの写真であり、図３は本具を上下に開いて、上下両板間を開示した写真である。両図が示すように、下板２の内面にはウレタン製の中押え板３が配置されており、縁部が湾曲している洗い桶もしっかりと挟める構造になっている。
【００１８】
図４は、家庭で広く使用されている形状の洗い桶６の左右の縁辺に、本具を挟着させた状態を示し、図５は、本具上に本具が視認できる状態で、樹脂製のまな板５を載置した状態を示す。図１及び５に示すように、本具上板１のまな板配置面１１には、３本の滑り止め稜線１２が形成されており、まな板の横方向へのずれを確実に止める構成となっている。
【符号の説明】
【００１９】
１    上板
１１  まな板配置面
１２  滑り止め稜線
２    下板
２１  中押え設置台
３    中押え
４    背板
５    まな板
６    洗い桶
【図１】
0003216589.tif 000003
【図２】
0003216589.tif 000004
【図３】
0003216589.tif 000005
【図４】
0003216589.tif 000006
【図５】
0003216589.tif 000007
(57)【要約】      （修正有）【課題】実用性の高い引き通しバンドに、装飾性及び高級感とコストパフォーマンスを与えることにある。【解決手段】腕時計の時計ケースの１２時及び６時の位置に設けられたバンド取付部とバンド取付用ピンの間を通す長尺帯２０と、先端に設けられた環状部３１に６時側から長尺帯２０を通して長尺帯２０に沿わせて用いる短尺帯３０とを備えた引き通しバンド１０であって、長尺帯２０は、土台となる裏材２５と異なる２種類の材料を継ぎ合わせた表材２１，２２とからなる。長尺帯２０の美錠側の表材２１をクロコダイル革に、長尺帯２０の剣先側の表材２２を牛革にした。【選択図】図１
0003216576.tif 000002
【実用新案登録請求の範囲】
【請求項１】
腕時計の時計ケースの１２時及び６時の位置に設けられたバンド取付部とバンド取付用ピンの間を通す長尺帯と、先端に設けられた環状部に６時側から長尺帯を通して長尺帯に沿わせて用いる短尺帯とを備えた引き通しバンドであって、
長尺帯は、土台となる裏材と異なる２種類の材料を継ぎ合わせた表材とからなることを特徴とする引き通しバンド。
【請求項２】
長尺帯の美錠側の表材をクロコダイル革に、長尺帯の剣先側の表材を牛革にしたことを特徴とする請求項１記載の引き通しバンド。
【請求項３】
請求項１又は２記載の引き通しバンドを備えたことを特徴とする腕時計。
【考案の詳細な説明】
【技術分野】
【０００１】
本願考案は、腕時計の時計ケースの１２時及び６時の位置に設けられたバンド取付部とバンド取付用ピンの間を通す長尺帯と、先端に設けられた環状部に６時側から長尺帯を通して長尺帯に沿わせて用いる短尺帯とを備えた引き通しバンド、いわゆる「ＮＡＴＯストラップ（又はＮＡＴＯベルト、ＮＡＴＯタイプなど）」と呼ばれるものに関するものである。
【背景技術】
【０００２】
従来より、交換容易な時計バンドとして「引き通しバンド」が知られている（特許文献１など）。
その中でも、近年特に人気のある引き通しバンドは、通称「ＮＡＴＯストラップ」と呼ばれるものである。
【０００３】
【特許文献１】特開平８−１４６１５７号公報
【考案の概要】
【考案が解決しようとする課題】
【０００４】
「ＮＡＴＯストラップ」は、元々ＮＡＴＯ軍から支給される腕時計用の引き通しバンドであって、その素材はナイロンストラップであった。
本願考案者は、この実用性の高い引き通しバンドに、装飾性（高級感）とコストパフォーマンスを与えることを考えて、本願考案を完成させた。
【課題を解決するための手段】
【０００５】
本願考案の第１の考案は、腕時計の時計ケースの１２時及び６時の位置に設けられたバンド取付部とバンド取付用ピンの間を通す長尺帯と、先端に設けられた環状部に６時側から長尺帯を通して長尺帯に沿わせて用いる短尺帯とを備えた引き通しバンドであって、長尺帯は、土台となる裏材と異なる２種類の材料を継ぎ合わせた表材とからなることを特徴とするものである。
第２の考案は、長尺帯の美錠側の表材をクロコダイル革に、長尺帯の剣先側の表材を牛革にしたことを特徴とする同引き通しバンドである。
第３の考案は、上記第１又は第２の引き通しバンドを備えたことを特徴とする腕時計である。
【考案の効果】
【０００６】
本願考案によれば、長尺帯の表材に「クロコダイル革」を使用しているので、高級感が出る一方で、必要な部分のみに「クロコダイル革」を使用しているので、余計なコストを抑えられる。また、デザイン的に質感や色調を変えることができるので、他の製品との差別化が図れる。
【図面の簡単な説明】
【０００７】
【図１】本願考案に係る引き通しバンドを説明する説明図（１）。
【図２】本願考案に係る引き通しバンドを説明する説明図（２）。
【考案を実施するための形態】
【０００８】
本願考案の実施形態を図面に基づいて説明する。
図１及び図２は、本願考案に係る引き通しバンドを示す説明図である。
引き通しバンド１０は、長尺帯２０と短尺帯３０とを備える。
長尺帯２０は、土台となる裏材２５（牛革や合皮など）に、異なる２種類の材料を継ぎ合わせた表材２１，２２を縫製してなる。
【０００９】
長尺帯２０の美錠側の表材２１をクロコダイル革に、長尺帯２０の剣先側の表材２２を牛革にする。
このようにすることで、高級感があり価格の高いクロコダイル革を必要な部分のみに使用できて、引き通しバンド１０に高級感を与えつつ、コストを抑えることができる。また、質感や色調などのデザインを変えることができるので（＝バリエーションの幅が大きくなる）、他の製品との差別化が図れる。
【００１０】
なお、短尺帯３０は、先端に設けられた環状部３１に６時側（剣先側）から長尺帯２０を通して長尺帯２０に沿わせて用いるので（図２を参照）、その材質は特に問われるものではない（合皮や牛革などでよい）。
【産業上の利用可能性】
【００１１】
本願考案は、通称「ＮＡＴＯストラップ」と呼ばれる引き通しバンドに、幅広く利用できるものである。
【符号の説明】
【００１２】
１０  引き通しバンド
２０  長尺帯
２１  表材（クロコダイル革）
２２  表材（牛革）
２５  裏材
３０  短尺帯
３１  環状部
【図１】
0003216576.tif 000003
【図２】
0003216576.tif 000004
(57)【要約】      （修正有）【課題】懐中電灯の電源に高機能携帯電話端末等に電源を供給できる機能を設けることにより、夜間に片手で高機能携帯電話端末等で長時間遠方の撮影をすることができる懐中電灯を提供する。【解決手段】懐中電灯本体１に高機能携帯電話端末等を取付ける台座２を設ける。懐中電灯本体１に懐中電灯本体１の電源から高機能携帯電話端末等に電源を供給できる出力口３を設けることにより、夜間に片手で高機能携帯電話端末等で長時間遠方の撮影を可能とする。【選択図】図１
0003216551.tif 000002
【実用新案登録請求の範囲】
【請求項１】
懐中電灯本体に高機能携帯電話端末等の記録装置付撮影機材を簡単に取付けられる台座を設け高機能携帯電話端末，記録装置付撮影機材を取付ける事により夜間に遠方の静止画、動画を撮影出来るところを特徴とする懐中電灯
【考案の詳細な説明】
【技術分野】
【０００１】  本考案は、高機能携帯電話端末等が取付られる懐中電灯に関する物である。
【背景技術】
【０００２】  高機能携帯電話端末等に付属する撮影機材は静止画、動画ともに近距離用の照明を有する物もあるが、夜間遠方の撮影は出来ない。もしくは別途照明を用意する必要がある。
【考案の概要】
【考案が解決しようとする課題】
【０００３】  高機能携帯電話端末等に付属する撮影機材は近距離用の照明を有する物もあるが、夜間に遠方の撮影は出来ない。また、高機能携帯電話端末等に付属する内蔵電池では夜間の長時間の撮影は電池消耗が激しく別途電源を用意せざる負えない。また、高機能携帯電話端末等は片手では操作がしにくく、照明を同時に持っての撮影は困難である。また、撮影範囲に的確に照明を当てるのも困難である。
従って、ライトの機能と電源の機能と高機能携帯電話端末等を簡単に一体化することで前述の欠点を解決しようとするものである。
【課題を解決するための手段】
【０００４】  本考案は懐中電灯に高機能携帯電話端末等を取付ける台座を設け、懐中電灯の電源に高機能携帯電話端末等に電源を供給できる機能を設けることにより問題点を解決している。
【考案の効果】
【０００５】  上述の様に、本考案の高機能携帯電話端末等取付台座及び高機能携帯電話端末等用電源付懐中電灯は通常の懐中電灯としての使用は勿論、高機能携帯電話端末等を取付できるので安全に片手で遠方を懐中電灯で照らしながら同時に撮影を可能とし、また、懐中電灯の電源から高機能携帯電話端末等に電源を供給できるので、長時間の撮影をも可能とした。
【図面の簡単な説明】
【０００５】
【図１】  本考案の高機能携帯電話端末等取付台座及び高機能携帯電話端末等用電源付懐中電灯の一実施例を示す俯瞰図である。
【考案を実施するための形態】
【０００６】  懐中電灯本体前部上面に高機能携帯電話端末等を取付ける台座を耐久性のプラスチックス等適宣素材にて設ける、また懐中電灯本体の内部電源から高機能携帯電話端末等に最適な電源を供給できる機能を追加し、出力口を設ける。
【実施例】
【０００７】  以下、添付図面に従って一実施例を説明する。１は金属または耐久性のプラスチックス等が主体となってできている懐中電灯本体、２は金属または耐久性のプラスチックス等が主体となってできている高機能携帯電話端末等を取付ける台座、３は高機能携帯電話端末等に給電する、ＵＳＢ規格等の出力口である。１の懐中電灯本体に２の台座はねじ等で取付けられ２の台座は取外すこともできる。２の台座は高機能携帯電話端末等の形状により適切な形状とする。【０００８】  ２の台座に高機能携帯電話端末等を取付け、３の電源出力口と高機能携帯電話端末等を適切なケーブルで接続する。
【符号の説明】
【０００９】    １  懐中電灯本体
２  高機能携帯電話端末等取付け台座
３  電源出力口
【図１】
0003216551.tif 000003
(57)【要約】      （修正有）【課題】布生地の端を飾る時やほつれを防止する時に、簡易に指定した位置に仮固定することが可能となる繊維系テープを提供する。【解決手段】熱可塑性を有する不織布３の上に更に粘着性と熱可塑性を有する接着剤２を塗布したことを特徴とする繊維系テープ４である。【選択図】図１
0003216544.tif 000002
【実用新案登録請求の範囲】
【請求項１】
熱可塑性を有する不織布を備えた繊維系テープであって、前記不織布の上に更に粘着性と熱可塑性を有する接着剤を塗布した繊維系テープ。
【考案の詳細な説明】
【技術分野】
【０００１】      本考案は繊維系テープに関するものである。
【背景技術】
【０００２】      繊維系テープとは、主に服飾や雑貨に使用されるものであり、布生地の端を飾るためや、ほつれを防止するために、機能性及びデザイン性を目的として使用される事が多い、繊維でできた細巾の織物または編物である。繊維系テープの一例として主にバイアステープが多く使用されている。バイアステープとは、主に裁縫に使う生地の織りや布目に対し、角度を４５度傾けて細いテープ状に切った布の事を指す。伸縮性の無い布であっても、生地を斜めに加工する事で伸縮や曲げの自由度が上がるため、主に曲線部分の生地のほつれ防止のために、縁取りテープとして使用される事が多い。
【考案の概要】
【考案が解決しようとする課題】
【０００３】      布生地の端を飾る時や、ほつれを防止する時に繊維系テープを使用する際、仮固定するために待ち針を使用することがほとんどである。一例として、裁縫においてバイアステープを使用する際、まず縫製前に基材となる生地にバイアステープを仮固定するために待ち針を刺し、縫い上げる事が一般的である。しかし、待ち針での仮固定には時間がかかる事や、縫製前にバイアステープの位置がずれてしまう事が多いという欠点から、アイロンの熱で簡単に仮固定ができる、熱可塑性を有する不織布を備えたバイアステープの使用も増えている。ただし、アイロンの熱で接着する場合であっても、アイロンを当てる前にバイアステープがずれてしまうという課題がある。
【課題を解決するための手段】
【０００４】      本考案は上記課題を解決するために、熱可塑性を有する不織布の上に更に粘着性と熱可塑性を有する接着剤を塗布したことを特徴とする繊維系テープである。
【考案の効果】
【０００５】      熱可塑性を有する不織布の上に更に粘着性と熱可塑性を有する接着剤を塗布した繊維系テープを使用することにより、布生地の端を飾る時やほつれを防止する時に、簡易に指定した位置に繊維系テープを仮固定することが可能となる。また、待ち針での仮固定をする手間を省く事ができるため、使用者が繊維系テープを基材に仮固定する際に感じる煩わしさが減り、更に時間短縮も可能になる。
【考案を実施するための形態】
【０００６】      符号３が示す、熱可塑性を有する不織布を備えた符号４の示す繊維系テープの上に、更に粘着性と熱可塑性を有する符号２の示す接着剤を塗布する事によって、縫製前の基材への繊維系テープの仮固定を、粘着性と熱可塑性を有する符号２の示す接着剤により、簡易に行う事ができるようになる。本考案に使用される符号２の接着剤は、酢酸エチル、メチルエチルケトン、トルエン、ポリアクリル酸エステル、エチレン酢酸ビニルコポリマー等を含む、輝化学工業株式会社製のハイパット２５３Ａ・Ｂ等がある。本考案の使用例として、裁縫において繊維系テープを使用する際、主にバイアステープが使われることが多い。バイアステープでは、まず縫製前に基材となる生地にバイアステープを仮固定するために待ち針を刺し、縫い上げる事が一般的である。しかし、待ち針での仮固定には時間がかかる事や、縫製前にバイアステープの位置がずれてしまう事が多いという欠点から、アイロンの熱で簡単に仮固定ができる、熱可塑性を有する不織布を備えたバイアステープの使用も増えている。ただし、アイロンの熱で接着する場合であっても、アイロンを当てる前にバイアステープがずれてしまうという課題がある。しかし、熱可塑性を有する不織布の上に更に粘着性と熱可塑性を有する接着剤を塗布した繊維系テープのひとつであるバイアステープを使用することにより、布生地の端を飾る時やほつれを防止する時に、簡易に指定した位置にバイアステープを仮固定することが可能となる。また、待ち針での仮固定をする手間を省く事ができるため、使用者がバイアステープを基材に仮固定する際に感じる煩わしさが減り、更に時間短縮も可能になる。なお、一般的には裁縫に使う生地の織りや布目に対し角度を４５度傾けて細いテープ状に切った布の事をバイアステープと言うが、本考案は、生地の織りや布目に対し角度を４５度傾けていない状態であっても、テープ状に切った布や、繊維でできた細巾の織物または編物に、粘着性と熱可塑性を有する接着剤を塗布した熱可塑性不織布を備えたテープも含むものとする。
【図面の簡単な説明】
【０００７】
【図１】本考案の繊維系テープの断面図である。
【符号の説明】
【０００８】    １  剥離紙
２  粘着性と熱可塑性を有する接着剤
３  熱可塑性不織布
４  繊維系テープ
【図１】
0003216544.tif 000003